(57)【特許請求の範囲】
【請求項１】
ユーザがネットワーク上のコンテンツを閲覧する時に、該コンテンツに含まれる語句または画像の関連情報を表示する情報提供装置であって、
前記コンテンツおよび前記関連情報を表示する表示部と、
前記ネットワークを介して、前記コンテンツを取得し、前記表示部に表示させる第１取得部と、
前記第１取得部が取得したコンテンツから検索対象の語句または画像を抽出する抽出部と、
検索エンジンを利用して、前記ネットワーク上のコンテンツの中から、前記抽出部が抽出した語句または画像の検索を順次行って、検索ヒットしたコンテンツの件数とその閲覧回数を取得する検索部と、
前記検索部が取得した件数が所定数以下の場合に、前記検索ヒットしたコンテンツの中で、最も閲覧回数が多いコンテンツを取得する第２取得部と、
前記第２取得部が取得したコンテンツのうち、前記検索対象の語句または画像に対応する部分を前記関連情報として抽出し、ユーザが前記表示部に表示されたコンテンツを閲覧する速度に同調させて前記表示部に順次表示させる制御部とを備えることを特徴とする情報提供装置。
【請求項２】
前記制御部は、ユーザが前記表示部に表示されたコンテンツの閲覧を一定の速度で進めるものとして、前記関連情報の表示タイミングを制御するものである請求項１に記載の情報提供装置。
【請求項３】
前記制御部は、さらに、ユーザが前記表示部に表示された関連情報の閲覧を一定の速度で進めるものとして、該関連情報の表示タイミングを制御するものである請求項２に記載の情報提供装置。
【請求項４】
前記制御部は、前記表示部に表示されたコンテンツの表示色および背景色を同一にし、ユーザが前記表示部に表示されたコンテンツを閲覧する順序で該表示色と該背景色とを異なる色に順次変更して、ユーザが前記表示部に表示されたコンテンツを閲覧する速度を制御し、ユーザが前記表示部に表示されたコンテンツを閲覧する速度に基づいて、前記関連情報の表示タイミングを制御するものである請求項１に記載の情報提供装置。
【請求項５】
前記制御部は、前記表示部に表示されたコンテンツに含まれる文章の文字列を順次光らせて、ユーザが前記表示部に表示されたコンテンツの文章を読む速度を制御し、ユーザが前記表示部に表示されたコンテンツの文章を読む速度に基づいて、前記関連情報の表示タイミングを制御するものである請求項１に記載の情報提供装置。
【請求項６】
当該情報提供装置は、携帯端末で構成され、
さらに、前記携帯端末の揺れを検出するセンサを備え、
前記表示部に表示されたコンテンツは、ユーザが左側から右側、かつ、上側から下側へ閲覧を進めるものであり、
前記制御部は、前記センサが検出した前記携帯端末の左右方向の揺れに基づいて、前記表示部に表示されたコンテンツの各行における前記関連情報の表示タイミングを制御するものである請求項１に記載の情報提供装置。
【請求項７】
さらに、前記表示部に表示されたコンテンツを音読する音読部を備え、
前記制御部は、前記音読部が前記表示部に表示されたコンテンツを音読する速度に基づいて、前記関連情報の表示タイミングを制御するものである請求項１に記載の情報提供装置。
【請求項８】
前記音読部は、さらに、前記表示部に表示された関連情報を音読するものであり、
前記制御部は、さらに、前記関連情報を音読する速度に基づいて、該関連情報の表示タイミングを制御するものである請求項７に記載の情報提供装置。
【請求項９】
当該情報提供装置は、携帯端末で構成され、
さらに、前記携帯端末の揺れを検出するセンサを備え、
前記制御部は、前記センサが前記携帯端末の上下方向の揺れを検出した場合、前記表示部に表示されたコンテンツに対応する広告を前記表示部に表示させるものである請求項１に記載の情報提供装置。
【請求項１０】
前記表示部に表示されたコンテンツは、ユーザが左側から右側、かつ、上側から下側へ閲覧を進めるものであり、
前記制御部は、前記関連情報を、該関連情報に対応する検索対象の語句または画像の左側に表示させるものである請求項１〜９のいずれかに記載の情報提供装置。
【請求項１１】
前記制御部は、前記第１取得部が取得したコンテンツと前記第２取得部が取得したコンテンツとが一致する場合、前記関連情報を前記表示部に表示させないものである請求項１〜１０のいずれかに記載の情報提供装置。
【請求項１２】
前記抽出部は、前記表示部に表示されたコンテンツの文章を記号で区切り、該記号の文字列と、前記検索対象の語句となる該記号以外の文字列を抽出するものであり、
前記検索部は、前記抽出部が抽出した記号の文字列および該記号以外の文字列を前記検索エンジンの検索ボックスに順次入力し、一定の時間間隔で順次検索を行うものであり、
前記検索部は、前記記号の文字列を前記検索ボックスに入力すると、該入力した記号の文字列とともに、該検索ボックスに前回入力した前記記号以外の文字列を削除するものである請求項１〜１１のいずれかに記載の情報提供装置。
【請求項１３】
ネットワークに接続され、コンテンツを格納したサーバと、
前記ネットワークを介して、前記サーバに格納されたコンテンツにアクセスする請求項１〜１２のいずれかに記載の情報提供装置とを備えることを特徴とする情報提供システム。
【請求項１４】
ユーザがネットワーク上のコンテンツを閲覧する時に、該コンテンツに含まれる語句または画像の関連情報を表示する情報提供方法であって、
前記ネットワークを介して、前記コンテンツを取得し、表示部に表示させる第１ステップと、
前記第１ステップで取得したコンテンツから検索対象の語句または画像を抽出する第２ステップと、
検索エンジンを利用して、前記ネットワーク上のコンテンツの中から、前記第２ステップで抽出した語句または画像の検索を順次行って、検索ヒットしたコンテンツの件数とその閲覧回数を取得する第３ステップと、
前記第３ステップで取得した件数が所定数以下の場合に、前記検索ヒットしたコンテンツの中で、最も閲覧回数が多いコンテンツを取得する第４ステップと、
前記第４ステップで取得したコンテンツのうち、前記検索対象の語句または画像に対応する部分を前記関連情報として抽出し、ユーザが前記表示部に表示されたコンテンツを閲覧する速度に同調させて前記表示部に順次表示させるステップとを含むことを特徴とする情報提供方法。
【請求項１５】
請求項１４に記載の情報提供方法の各ステップをコンピュータに実行させるためのプログラム。
【発明の詳細な説明】
【技術分野】
【０００１】
本発明は、ネットワーク上のコンテンツを閲覧する時に、そのコンテンツに含まれる語句または画像の関連情報を表示する情報提供システム、情報提供装置、情報提供方法およびプログラムに関するものである。
【背景技術】
【０００２】
例えば、インターネットのウェブページに記載された記事などの文章を読む時、知らない語句、あるいは、改めて意味を確認しておきたい語句に遭遇することが多い。この場合、その語句を、検索エンジンのウェブページ（検索ページ）を利用して検索し、別のウェブページに記載された、その語句の関連記事を読んで、その語句の意味などを確認した後に、元のウェブページの記事に戻ることを繰り返すことは面倒であり、ストレスを感じることが多いという問題がある。
【０００３】
ここで、本発明に関連性のある先行技術文献として、特許文献１〜３がある。
【０００４】
特許文献１には、記憶媒体に記憶された電子事典から種々の情報を読み出して表示装置に表示する電子事典であって、電子事典から検索した項目の本見出しを、画面上の所定の表示エリアに表示し、表示エリアに表示されている本見出しにポインティングデバイスのカーソルを合わせたとき、本見出しの項目読みをバルーンヘルプで表示する電子事典が記載されている。
【０００５】
特許文献２には、ユーザをインストラクトする、コンピュータシステムで実行される、方法であって、対話例を実行し、かつ、対話例と同期して、対話例に対応する説明情報を供給し、コンピュータシステムの画面に複数のウィンドウズを表示して、説明情報を、一つのウィンドウに表示し、かつ、対話例からの出力を、別のウィンドウに表示することが記載されている。
【０００６】
特許文献３には、文書、図面等の手書き及び電子データから抽出した専門用語や固有名詞等の用語を管理する方法において、抽出した用語に用語が使用される状況、用語に関係する動作、動作の後に予想される結果を検索キーとして用語を記録しておき、用語が使用される状況、用語に関係する動作、動作の後に予想される結果を検索キーとして用語を検索することが記載されている。
【先行技術文献】
【特許文献】
【０００７】
【特許文献１】特開平１０−３２６２８０号公報
【特許文献２】特開平１１−１６１３９８号公報
【特許文献３】特開２００８−１２３２５６号公報
【発明の概要】
【発明が解決しようとする課題】
【０００８】
本発明の目的は、ネットワーク上のコンテンツを閲覧する時に、そのコンテンツに含まれる語句または画像の関連情報を自動的に表示させることができる情報提供システム、情報提供装置、情報提供方法およびプログラムを提供することにある。
【課題を解決するための手段】
【０００９】
上記目的を達成するために、本発明は、ユーザがネットワーク上のコンテンツを閲覧する時に、コンテンツに含まれる語句または画像の関連情報を表示する情報提供装置であって、
コンテンツおよび関連情報を表示する表示部と、
ネットワークを介して、コンテンツを取得し、表示部に表示させる第１取得部と、
第１取得部が取得したコンテンツから検索対象の語句または画像を抽出する抽出部と、
検索エンジンを利用して、ネットワーク上のコンテンツの中から、抽出部が抽出した語句または画像の検索を順次行って、検索ヒットしたコンテンツの件数とその閲覧回数を取得する検索部と、
検索部が取得した件数が所定数以下の場合に、検索ヒットしたコンテンツの中で、最も閲覧回数が多いコンテンツを取得する第２取得部と、
第２取得部が取得したコンテンツのうち、検索対象の語句または画像に対応する部分を関連情報として抽出し、ユーザが表示部に表示されたコンテンツを閲覧する速度に同調させて表示部に順次表示させる制御部とを備えることを特徴とする情報提供装置を提供するものである。
【００１０】
ここで、制御部は、ユーザが表示部に表示されたコンテンツの閲覧を一定の速度で進めるものとして、関連情報の表示タイミングを制御するものであることが好ましい。
【００１１】
また、制御部は、さらに、ユーザが表示部に表示された関連情報の閲覧を一定の速度で進めるものとして、関連情報の表示タイミングを制御するものであることが好ましい。
【００１２】
また、制御部は、表示部に表示されたコンテンツの表示色および背景色を同一にし、ユーザが表示部に表示されたコンテンツを閲覧する順序で表示色と背景色とを異なる色に順次変更して、ユーザが表示部に表示されたコンテンツを閲覧する速度を制御し、ユーザが表示部に表示されたコンテンツを閲覧する速度に基づいて、関連情報の表示タイミングを制御するものであることが好ましい。
【００１３】
また、制御部は、表示部に表示されたコンテンツに含まれる文章の文字列を順次光らせて、ユーザが表示部に表示されたコンテンツの文章を読む速度を制御し、ユーザが表示部に表示されたコンテンツの文章を読む速度に基づいて、関連情報の表示タイミングを制御するものであることが好ましい。
【００１４】
また、情報提供装置は、携帯端末で構成され、
さらに、携帯端末の揺れを検出するセンサを備え、
表示部に表示されたコンテンツは、ユーザが左側から右側、かつ、上側から下側へ閲覧を進めるものであり、
制御部は、センサが検出した携帯端末の左右方向の揺れに基づいて、表示部に表示されたコンテンツの各行における関連情報の表示タイミングを制御するものであることが好ましい。
【００１５】
さらに、表示部に表示されたコンテンツを音読する音読部を備え、
制御部は、音読部が表示部に表示されたコンテンツを音読する速度に基づいて、関連情報の表示タイミングを制御するものであることが好ましい。
【００１６】
また、音読部は、さらに、表示部に表示された関連情報を音読するものであり、
制御部は、さらに、関連情報を音読する速度に基づいて、関連情報の表示タイミングを制御するものであることが好ましい。
【００１７】
また、情報提供装置は、携帯端末で構成され、
さらに、携帯端末の揺れを検出するセンサを備え、
制御部は、センサが携帯端末の上下方向の揺れを検出した場合、表示部に表示されたコンテンツに対応する広告を表示部に表示させるものであることが好ましい。
【００１８】
また、表示部に表示されたコンテンツは、ユーザが左側から右側、かつ、上側から下側へ閲覧を進めるものであり、
制御部は、関連情報を、関連情報に対応する検索対象の語句または画像の左側に表示させるものであることが好ましい。
【００１９】
また、制御部は、第１取得部が取得したコンテンツと第２取得部が取得したコンテンツとが一致する場合、関連情報を表示部に表示させないものであることが好ましい。
【００２０】
また、抽出部は、表示部に表示されたコンテンツの文章を記号で区切り、記号の文字列と、検索対象の語句となる記号以外の文字列を抽出するものであり、
検索部は、抽出部が抽出した記号の文字列および記号以外の文字列を検索エンジンの検索ボックスに順次入力し、一定の時間間隔で順次検索を行うものであり、
検索部は、記号の文字列を検索ボックスに入力すると、入力した記号の文字列とともに、検索ボックスに前回入力した記号以外の文字列を削除するものであることが好ましい。
【００２１】
また、本発明は、ネットワークに接続され、コンテンツを格納したサーバと、
ネットワークを介して、サーバに格納されたコンテンツにアクセスする上記のいずれかに記載の情報提供装置とを備えることを特徴とする情報提供システムを提供する。
【００２２】
また、本発明は、ユーザがネットワーク上のコンテンツを閲覧する時に、コンテンツに含まれる語句または画像の関連情報を表示する情報提供方法であって、
ネットワークを介して、コンテンツを取得し、表示部に表示させる第１ステップと、
第１ステップで取得したコンテンツから検索対象の語句または画像を抽出する第２ステップと、
検索エンジンを利用して、ネットワーク上のコンテンツの中から、第２ステップで抽出した語句または画像の検索を順次行って、検索ヒットしたコンテンツの件数とその閲覧回数を取得する第３ステップと、
第３ステップで取得した件数が所定数以下の場合に、検索ヒットしたコンテンツの中で、最も閲覧回数が多いコンテンツを取得する第４ステップと、
第４ステップで取得したコンテンツのうち、検索対象の語句または画像に対応する部分を関連情報として抽出し、ユーザが表示部に表示されたコンテンツを閲覧する速度に同調させて表示部に順次表示させるステップとを含むことを特徴とする情報提供方法を提供する。
【００２３】
また、本発明は、上記に記載の情報提供方法の各ステップをコンピュータに実行させるためのプログラムを提供する。
【発明の効果】
【００２４】
本発明によれば、ユーザが表示部に表示されたコンテンツを閲覧する速度に合わせて、そのコンテンツに含まれる語句または画像の関連情報を自動的に表示部に順次表示させることができる。
【図面の簡単な説明】
【００２５】
【図１】本発明の情報提供システムの構成を表す一実施形態のブロック図である。
【図２】図１に示す情報提供装置の構成を表すブロック図である。
【図３】ウェブページの文章の一例を表す概念図である。
【図４】ウェブページの文章と解説文との位置関係を表す一例の概念図である。
【図５】ウェブページの文章と解説文との位置関係を表す他の例の概念図である。
【図６】（Ａ）および（Ｂ）は、それぞれ、携帯端末を縦方向および横方向に向けて保持している場合の概念図である。
【発明を実施するための形態】
【００２６】
以下に、添付の図面に示す好適実施形態に基づいて、本発明の情報提供システム、情報提供装置、情報提供方法およびプログラムを詳細に説明する。
【００２７】
図１は、本発明の情報提供システムの構成を表す一実施形態のブロック図である。同図に示す情報提供システム１０は、ユーザがインターネット３２上のウェブページに記載された記事などの文章を読む場合に、ユーザが文章を読む速度に合わせて、その文章に含まれる、多くのユーザにとって馴染みのない語句の解説文を自動的に表示するものである。
情報提供システム１０は、インターネット３２に接続され、各種のウェブページを格納したサーバ２８と、インターネット３２を介して、サーバ２８に格納されたウェブページにアクセスする、少なくとも１つの情報提供装置３０とを備える。
情報提供装置３０は、例えば、液晶ディスプレイなどの表示装置を有するＰＣ（パーソナルコンピュータ）、ノートＰＣ、タブレットＰＣや、スマートフォンなどの携帯端末上で動作するプログラムによって構成される。
【００２８】
情報提供装置３０は、図２に示すように、表示部１２と、第１取得部１４と、抽出部１６と、検索部１８と、第２取得部２０と、制御部２２と、音読部２４と、センサ２６とを備えている。
【００２９】
表示部１２は、後述するように、第１取得部１４が取得したウェブページの文章を表示したり、制御部２２が抽出した解説文を表示したりするものである。
【００３０】
第１取得部１４は、インターネット３２を介して、サーバ２８からウェブページに記載された記事などの文章（のデータ）を取得し、表示部１２に表示させるものである。
【００３１】
抽出部１６は、第１取得部１４が取得したウェブページの文章から検索対象の語句を抽出するものである。
【００３２】
検索部１８は、例えば、インターネットの検索エンジンのウェブページ（検索ページ）を利用して、サーバ２８に格納されたインターネット３２上のウェブページの中から、抽出部１６が抽出した検索対象の語句の検索を順次行って、検索ヒットしたウェブページの件数（検索ヒット数）とその閲覧回数を取得するものである。
【００３３】
第２取得部２０は、検索部１８が取得した検索ヒット数が所定数以下の場合に、検索ヒットしたウェブページの中で、最も閲覧回数の多いウェブページに記載された文章（のデータ）をサーバ２８から取得するものである。
【００３４】
制御部２２は、第２取得部２０が取得したウェブページの文章のうち、検索対象の語句に対応する部分を解説文として抽出し、ユーザが表示部１２に表示されたウェブページの文章を読む速度、つまり、ユーザの知覚速度に同調させて表示部１２に順次表示させるものである。
また、制御部２２は、後述するように、情報提供装置３０が携帯端末で構成されている場合に、センサ２６が検出した携帯端末の左右方向の揺れに基づいて、第１取得部１４が取得したウェブページの文章の各行における解説文の表示タイミングを制御したり、センサ２６が携帯端末の上下方向の揺れを検出した場合、表示部１２に表示されたウェブページに対応する広告を表示部１２に表示させたりする。
【００３５】
音読部２４は、表示部１２に表示されたウェブページの文章や解説文、つまり、第１取得部１４が取得したウェブページの文章や制御部２２が抽出した解説文を音読するものである。
【００３６】
センサ２６は、情報提供装置３０が携帯端末で構成されている場合に、携帯端末を持つユーザの持ち手の揺れ、つまり、携帯端末の揺れを検出するものである。センサ２６が検出した携帯端末の揺れの情報は、制御部２２に供給される。
【００３７】
以下、本発明の情報提供方法に従って、情報提供システム１０の動作を説明する。
【００３８】
まず、ユーザが、所望のウェブページのＵＲＬ（Uniform Resource Locator）をウェブブラウザに入力すると、第１取得部１４は、インターネット３２を介して、サーバ２８からユーザが入力したＵＲＬに対応するウェブページの文章（のデータ）を取得し、表示部１２に表示されたウェブブラウザの表示ウィンドウに表示させる。
【００３９】
第１取得部１４が取得したウェブページの文章が表示部１２に表示されると、ユーザは、表示部１２に表示されたウェブページの文章を読んだり、その文章を音読部２４に音読させ、音読された音声を聴いたりすることができる。
ウェブページの場合、通常、横書きの文章であり、左側から右側、上側から下側へ向かって文章が読み進められると考えられる。
【００４０】
続いて、抽出部１６は、第１取得部１４が取得したウェブページの文章、つまり、表示部１２に表示されたウェブページの文章から検索対象の語句を抽出する。
【００４１】
検索部１８は、インターネットの検索ページを利用して、インターネット３２上のウェブページの中から、抽出部１６が抽出した検索対象の語句の検索を順次行って、ウェブページの検索ヒット数とその閲覧回数を取得する。
【００４２】
ここで、検索対象の語句の抽出方法および検索方法について説明する。
【００４３】
抽出部１６は、例えば、表示部１２に表示されたウェブページの文章を、“（”、“）”、“「”、“」”、“＜”、“＞”、“、”等の記号で区切り、この記号の文字列と、記号以外の文字列を抽出する。記号以外の文字列が検索対象の語句である。
【００４４】
検索部１８は、抽出部１６が抽出した記号の文字列およびそれ以外の文字列を検索ページの検索ボックス（検索窓）に順次入力し、一定の時間間隔で順次検索を行う。この時、検索部１８は、記号の文字列を検索ボックスに入力すると、入力した記号の文字列とともに、検索ボックスに前回入力した文字列を削除する。これにより、検索ボックスには、記号以外の文字列、つまり、検索対象の語句だけが順次入力され、検索が行われる。
【００４５】
例えば、図３に示す例の場合、検索部１８は、米連邦準備理事会→（→ＦＲＢ→）→は１９日→、→銀行の自己勘定取引を制限する→「→ボルカー・ルール→」→への順守期限を２０１４年７月２１日にすると表明し→、→期限は…の順序で各々の文字列を検索ボックスに順次入力する。この場合、例えば、“米連邦準備理事会”の文字列の次に“（”の文字列が入力されると、検索ボックスから“（”の文字列とともに“米連邦準備理事会”の文字列が削除され、続いて、“（”の文字列の次の“ＦＲＢ”の文字列が検索ボックスに入力されて検索される。これ以降の文字列についても同様である。
【００４６】
続いて、第２取得部２０は、検索部１８が取得した検索ヒット数が所定数以下の場合に、検索ヒットしたウェブページの中で、最も閲覧回数が多いウェブページに記載された文章（のデータ）をサーバ３２から取得する。
【００４７】
ここで、多くのユーザにとって馴染みのない語句、つまり、解説文を表示すべき語句は、検索ヒット数が少ないと考えられる。本実施形態の場合、第２取得部２０は、検索ヒット数が所定数以下の場合に、検索部１８が検索した語句が、その解説文を表示すべき語句であると判断する。これに対し、検索ヒット数が所定数よりも多い場合には、検索部１８が検索した語句が、多くのユーザにとって馴染みのある語句であり、解説文を表示する必要はないと判断する。
また、第２取得部２０は、検索ヒットしたウェブページの中で、最も閲覧回数が多いウェブページが、検索対象の語句の解説文として最も信頼性が高い文章が含まれていると判断する。
【００４８】
そして、制御部２２は、ユーザが表示部１２に表示されたウェブページの文章を読む知覚速度に同調させて、第２取得部２０が取得したウェブページの文章のうち、検索対象の語句に対応する部分を解説文として抽出し、表示部１２に順次表示させる。
【００４９】
例えば、図３に示すようなウェブページの文章が表示部１２に表示されている場合、左側から右側、上側から下側へ向かって文章を読み進めると、多くのユーザは、まず初めに、「自己勘定取引」という語句の意味は何かと考える。
この時、ユーザが図３に示す文章を読み進めて、「自己勘定取引」という語句を読むタイミングで、その解説文が、図４に太字で示すように、例えば、「自己勘定取引」という語句の記載位置の左側の位置に表示される。解説文は、ユーザが「自己勘定取引」という語句の解説文を読み終えるタイミングで表示されなくなる。
【００５０】
続いて、ユーザが図３の文章を読み進めると、多くのユーザは、次に、「自己勘定取引」の直後に出てくる「ボルカー・ルール」という語句の意味は何かと考える。
この時も同様に、ユーザが「ボルカー・ルール」という語句を読むタイミングで、その解説文が、図５に太字示すように、「ボルカー・ルール」という語句の記載位置の左側の位置に表示され、ユーザが解説文を読み終えるタイミングで解説文が表示されなくなる。
【００５１】
さらにユーザが図３の文章を読み進めると、次に、「ドッド・フランクリン法」という語句が出てくるが、この語句も同様に、その解説文が、「ドッド・フランクリン法」という語句の記載位置の左側の位置に表示され、ユーザが解説文を読み終えるタイミングで解説文が表示されなくなる。
これ以後も同様に、多くのユーザが、その意味は何かと考える、多くのユーザにとって馴染みのない語句を読むタイミングで、同様に、その解説文が、その語句の記載位置の左側の位置に表示され、ユーザが解説文を読み終えるタイミングで解説文が表示されなくなる。
【００５２】
このように、情報提供システム１０は、ユーザが表示部１２に表示されたウェブページの文章を読む速度に合わせて、その文章に含まれる語句の解説文を自動的に表示部１２に順次表示させることができる。
【００５３】
なお、検索部１８による検索の結果、検索ヒットしたウェブページの中で、最も閲覧回数が多いウェブページが、表示部１２に表示された元のウェブページと一致する場合がある。この場合、つまり、第１取得部１４が文章を取得したウェブページと第２取得部２０が文章を取得したウェブページとが一致する場合、制御部２２は、解説文を表示部１２に表示させない。
【００５４】
各々の検索対象の語句に対応する解説文は、その文字数に相当する時間は表示部１２に表示される。つまり、制御部２２は、ユーザが、表示部１２に表示されたウェブページの文章だけではなく、解説文を読む速度を計算しながら、解説文を表示する。しかし、解説文を表示すべき語句が連続的に出現する場合には、連続的に違う解説文が表示される。そのため、各々の解説文は、次の解説文が表示されるタイミングを待たずに非表示とされることが望ましい。
【００５５】
次に、表示部１２に表示されたウェブページの文章と解説文の表示位置の関係について説明する。
【００５６】
表示部１２に表示されたウェブページの文章は、通常、横書きであり、左側から右側、上側から下側へ向かって文章が読み進められる。そのため、解説文は、ウェブページの文章の左側にある方、つまり、文章を読み進める方向とは反対方向にある方が、情報提供装置３０が携帯端末で構成されている場合、ユーザの持ち手の左右方向の揺れを発生しやすい。そのため、制御部２２は、解説文を、その解説文に対応する検索対象の語句の左側に表示させる。
【００５７】
なお、解説文を、ウェブページの文章の左側に配置することは必須ではない。また、情報提供装置３０が携帯端末ではなく、ＰＣ等で構成されている場合には、ユーザの持ち手の揺れで解説文の表示タイミングを制御する代わりに、例えば、表示部１２に表示されたウェブページの文章に含まれる文字列を順次光らせることなどによって、解説文の表示タイミングを制御することができる。
【００５８】
次に、制御部２２が、表示部１２に解説文を表示させるタイミングについて説明する。
【００５９】
ユーザが表示部１２に表示されたウェブページの文章を読み進める速度に合わせて、検索対象の語句に対応する解説文を表示することが肝要である。そこで、ユーザが検索対象の語句を読むタイミングで、その解説文を表示するために、以下の（１）〜（６）の工夫を行うことが望ましい。
【００６０】
（１）制御部２２は、ユーザが表示部１２に表示されたウェブページの文章を一定の速度で読み進めるものとして、解説文の表示タイミングを制御する。
例えば、制御部２２は、表示部１２に表示されたウェブページの文章の最初から検索対象の語句までの文字数をカウントし、ユーザが１文字を読むために必要な時間を何秒と設定して検索対象の語句までの時間を計算する。これにより、制御部２２は、各々の検索対象の語句に到達するまでの時間が経過したタイミングで、その検索対象の語句に対応する解説文を表示部１２に表示させることができる。
【００６１】
（２）制御部２２は、表示部１２に表示させるウェブページの文章の文字色（表示色）および背景色を同一にし、ユーザが文章を読む順序で、文字色と背景色とを異なる色に順次変更する。
例えば、文章の文字色および背景色を黒くし、ユーザが文章を読み進める順序で、順次背景色を局部的に白くする。これにより、ユーザが文章を読む速度を制御することができ、ユーザが文章を読む速度に基づいて、解説文の表示タイミングを制御することができる。
なお、順次背景色を局部的に白くするとは、各行、もしくは、一定文字数を一定時間毎などのタイミングである。また、背景色ではなく文字色を順次局部的に白くしてもよいし、あるいは、例えば、表示部１２に表示されたウェブページの文章に含まれる文字列を順次光らせることも同様の工夫である。
【００６２】
（３）情報提供装置３０が携帯端末で構成されている場合、ユーザが携帯端末を手で持った状態で、表示部１２に表示されたウェブページの文章を各行で左側から右側（改行）、左側から右側（改行）、…の順序で順次読み進める時の、ユーザの持ち手の微妙な左右方向の揺れをセンサ２６で検知し、制御部２２は、センサ２６が検出した携帯端末の左右方向の揺れに基づいて、文章の各行における解説文の表示タイミングを制御する。
あるいは、文章の改行毎に、ユーザが携帯端末を意識的に左右方向に振ることで、文章の各行における解説文を表示するタイミングをユーザが指示するようにしてもよい。ユーザが解説文の表示タイミングを指示することにより、センサ２６の検知率を向上させることができる。
なお、ウェブページの文章が、左側から右側、上側から下側へ向かって読み進められる場合、検索対象の語句の右側に解説文を表示すると続きの文章が読めなくなるため、解説文が検索対象の語句の表示位置の左側の位置に表示されることが重要である。
【００６３】
（４）制御部２２は、表示部１２に表示されたウェブページの文章を音読部２４に音読させる場合、音読部２４が文章を音読する速度、つまり、ユーザが文章を聴く速度に基づいて、解説文の表示タイミングを制御する。
【００６４】
（５）表示部１２に解説文が表示された場合、ユーザがその解説文を一定の速度で読み進めるものとし、さらに、ユーザが解説文を読んだ後に、元のウェブページの文章に戻って続きから読むものとして、制御部２２は、元のウェブページの文章の文字数だけでなく、解説文の文字数も加算して次の解説文の表示タイミングを制御する。
解説文が静止画等の画像を含む場合、ユーザが画像を閲覧するために必要な時間として一定時間を加算する。また、解説文が動画等の映像を含む場合、同様に、その映像の再生時間相当を加算する。また、解説文の一行が所定数以上の文字数であり、ユーザが解説文を読む時に携帯端末の持ち手が左右方向に揺れる場合には、解説文の表示枠が元のウェブページの文章の表示枠を覆っていても問題ない。つまり、元のウェブページの文章が解説文で覆われて読めないとしても、ユーザは解説文を読んでいるところなので問題はない。
【００６５】
（６）制御部２２は、表示部１２に表示された解説文を音読部２４に音読させる場合、音読部２４が解説文を音読する速度、つまり、ユーザが解説文を聴く速度に基づいて、解説文の表示タイミングを制御する。
これにより、ユーザが、解説文から元のウェブページの文章に戻るタイミングを制御することができる。
【００６６】
次に、検索時の広告表示について説明する。
【００６７】
情報提供システム１０の普及により、ユーザがインターネットの検索ページを活用する頻度が減少すると、検索ページに表示されるクリック課金型の広告の表示頻度が減り、広告のクリック頻度も減少することが想定される。
そのため、情報提供装置３０は、ユーザが表示部１２に表示されたウェブページの文章を読んでいる時に、つまり、検索部１８が検索対象の語句を検索している時に、広告を表示する機能を備えている。
【００６８】
すなわち、情報提供装置３０が携帯端末で構成されている場合に、例えば、ユーザが携帯端末を上下方向に振ると、情報提供装置３０が内蔵するセンサ２６が携帯端末の上下方向への揺れを検出する。制御部２２は、センサ２６が携帯端末の上下方向への揺れを検出した場合に、表示部１２に表示されているウェブページに対応する広告を表示部１２に表示させる。例えば、表示部１２に表示されているウェブページに対応する広告が３つあれば、その３つの広告が一定の時間間隔で順次表示される。
一方、例えば、ユーザが携帯端末を左右方向に振ると、同様に、センサ２６が携帯端末の左右方向への揺れを検出する。制御部２２は、センサ２６が携帯端末の左右方向への揺れを検出した場合に、元のウェブページを表示部１２に表示させる。
【００６９】
通常、携帯端末は縦長の形状であるが、図６（Ａ）に示すように、ユーザが携帯端末を縦方向に向けて保持している場合、携帯端末の上下方向は同図中の上下方向、つまり、携帯端末の長手方向となり、左右方向は同図中の左右方向、つまり、携帯端末の幅方向となる。一方、同図（Ｂ）に示すように、ユーザが携帯端末を横方向に向けて保持している場合、携帯端末の上下方向は同図中の上下方向、つまり、携帯端末の幅方向となり、左右方向は同図中の左右方向、つまり、携帯端末の長手方向となる。
【００７０】
また、表示部１２に表示されているウェブページに対応する広告とは、そのウェブページに対して広告主が出している広告である。
クリック課金型の広告は、例えば、検索ページに表示されたクリック課金型の広告をユーザがクリックすることにより、その広告に対応するウェブページが表示される。これに対し、情報提供装置３０は、ユーザが携帯端末を上下方向に振ることにより、ユーザが広告をクリックしたものと見なし、表示部１２に表示されているウェブページに対応する広告を順次表示する。
【００７１】
本発明の情報提供方法は、情報提供方法に従って動作する情報提供システムないし情報提供装置、もしくは、情報提供方法の各ステップをコンピュータに実行させるためのプログラムによって実施することができる。
【００７２】
なお、本発明は、インターネット上のウェブサイトに限らず、ユーザがサーバに格納されたネットワーク上のコンテンツを閲覧する時に、ユーザがコンテンツを閲覧する速度に合わせて、そのコンテンツに含まれる語句または画像の関連情報を表示する場合に適用可能である。
この場合、ネットワークは、例えば、ＬＡＮ（ローカルエリアネットワーク）、インターネット等であり、コンテンツは、テキスト、画像、ウェブページ等であり、関連情報は、検索対象の語句の解説文、検索対象の画像に関連する画像等である。
【００７３】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００７４】
１０  情報提供システム
１２  表示部
１４  第１取得部
１６  抽出部
１８  検索部
２０  第２取得部
２２  制御部
２４  音読部
２６  センサ
２８  サーバ
３０  情報提供装置
３２  インターネット
【図１】
0005638051.tif 000002
【図２】
0005638051.tif 000003
【図３】
0005638051.tif 000004
【図４】
0005638051.tif 000005
【図５】
0005638051.tif 000006
【図６】
0005638051.tif 000007